(57)【特許請求の範囲】
【請求項１】
伸縮ブームの先端部にジブサポートを取付け、複数の分割ジブを連結してなるラフィングジブ基端部を該ジブサポートに枢着し、該ラフィングジブ先端部付近と該ラフィングジブ基端部付近又はジブサポートに立設させたマストの先端部とを、複数の分割ロッドを連結してなるテンションロッドにより前記ラフィングジブを支持するようにし、かつ、前記ラフィングジブ長手方向中間部上面と、前記テンションロッドの長手方向中間部の分割ロッド連結部とを、支えワイヤで連結してなるラフィングジブ付き移動式クレーンにおいて、
前記支えワイヤは、前記テンションロッドの分割ロッド連結ピン穴に同軸上に回転自在に構成されたレバーに連結されるものであり、当該レバーはその内径が分割ロッド連結ピンの外径となっている中空ピンによって分割ロッド連結部に回転自在に転結され、前記レバーの端部には前記支えワイヤとの連結ピン穴が設けられていることを特徴とするラフィングジブ付き移動式クレーン。
【請求項２】
伸縮ブームの先端部にジブサポートを取付け、複数の分割ジブを連結してなるラフィングジブ基端部を該ジブサポートに枢着し、該ラフィングジブ先端部付近と該ラフィングジブ基端部付近又はジブサポートに立設させたマストの先端部とを、複数の分割ロッドを連結してなるテンションロッドにより前記ラフィングジブを支持するようにし、かつ、前記ラフィングジブ長手方向中間部上面と、前記テンションロッドの長手方向中間部の分割ロッド連結部とを、支えワイヤで連結してなるラフィングジブ付き移動式クレーンにおいて、
前記支えワイヤは、前記テンションロッドの分割ロッド間に介装されたサポートに連結されるものであり、当該サポートの一端は分割ロッドの先端部に連結ピンによって回転自在に連結され、前記サポートの他端には連結される分割ロッドとの連結用の連結ピン穴が設けられ、さらに前記サポートの下部には前記支えワイヤとの連結ピン穴を有する連結用突起が設けられていることを特徴とするラフィングジブ付き移動式クレーン。
【発明の詳細な説明】
【０００１】
【発明の属する技術分野】
本発明は、支えワイヤを使用したラフィングジブを装着した移動式クレーンに関する。
【０００２】
【従来の技術】
図５は移動式クレーンがラフィングジブを装着した作業状態を示したものである。１は移動式クレーンの車両部であって、２は車両部１に旋回自在に搭載された旋回台である。３は旋回台２に起伏シリンダ１０により起伏自在に軸支された伸縮自在な伸縮ブームである。４は伸縮ブーム３の先端部に取り付けられたジブサポートであって、ジブサポート４の先端部には複数の分割ジブを連結してなるラフィングジブ５が起伏自在に軸支されている。６はバックテンション装置であって、複数の分割ロッドを連結してなるテンションロッド７、第１マスト８、第２マスト９、連結リンク１１、バックストッパシリンダ１２、連結ロッド１７、ワイヤ１５、ウインチ１３、空中シーブ１４、固定シーブ１６が連結されて構成されている。
【０００３】
空中シーブ１４、固定シーブ１６は複数のシーブから構成されており、前記ウインチ１３からのワイヤ１５が空中シーブ１４に巻き掛けられたのち、前記固定シーブ１６との間に繰り返し巻き掛けられたのち、ワイヤ１５の端部は固定シーブ１６のブラケットに連結されている。
バックテンション装置６は、上記構成によりラフィングジブ５の自重および吊荷の荷重により発生するバックテンションを受け持つとともに、ウインチ１３からワイヤ１５を巻き取り、繰り出しすることによりラフィングジブ５の伸縮ブーム３に対する相対角度を変えることにより、作業半径、揚程を必要な状態にするのである。
【０００４】
複数の分割ロッドを連結してなるテンションロッド７の先端分割ロッド７ａは前記複数の分割ジブを連結してなるラフィングジブ５の先端分割ジブ５ａと連結されている。また、テンションロッド７の後端分割ロッド７ｂは前記第１マスト８の先端部に連結されている。
【０００５】
以上がラフィングジブ５とバックテンション装置６の基本的な構成であるが、さらに、前記ラフィングジブ５とテンションロッド７とを連結する支えワイヤ２０が使用される場合がある。図５に示すような長尺のラフィングジブの場合、その自重によるラフィングジブ５のたわみが大きくなり、吊り上げ荷重の低下を招いてしまうのを防止するため、前記ラフィングジブ５の長手方向中間部上面と前記テンションロッド７の長手方向中間部の分割ロッド連結部をワイヤにより連結するものである。
【０００６】
図６は支えワイヤ２０の周辺部Ａの詳細図である。５ｃ、５ｄは分割ジブであって、ピン２７によって連結されている。７ｃ、７ｄは分割ロッドであって、ピン２５によって連結されている。支えワイヤ２０の分割ジブ側端末２２は分割ジブ５ｃの分割ジブ５ｄとの連結部近傍上面で、ピン２６により連結されている。支えワイヤ２０の分割ロッド側端末２１は、分割ロッド７ｃ、７ｄの連結ピン２５により連結されている。
【０００７】
分割ロッド７ｃ、７ｄは連結ピン２５の部分でやや下方に折れ曲がった状態で張力を支持している。そのため上向きの分力が発生し、支えワイヤ２０を上方に向け引っ張っており、支えワイヤ２０により上方に引っ張られたラフィングジブ５は自重による大きなたわみを発生することなくその姿勢を維持している。
【０００８】
【発明が解決しようとする課題】
しかし、この方式の場合にはテンションロッドと比較して小さな張力しか受けない支えワイヤをテンションロッドと同じピンで連結するため、支えワイヤの端末をテンションロッド用のピンと同じ大きなボス径にしなければならないという問題があった。そのため、不必要な大きなボス径の端末を持つ支えワイヤはコスト面から割高なものとなっていた。また、ラフィングジブ組立時において、支えワイヤの端末と２本の分割ロッドの連結部を同時にピン連結する必要があるため、その作業性が悪いものとなっていた。
【０００９】
本発明は、以上のような事情に基づいてなされたものであり、支えワイヤのテンションロッド側連結構造を改善することにより、組立作業性およびコストに優れたラフィングジブ付移動式クレーンを提供しようとするものである。
【００１０】
【課題を解決するための手段】
本願の請求項の発明は、上記の目的を達成するために、次のような課題解決手段を備えて構成されている。
【００１１】
すなわち、請求項１の発明のラフィングジブ付き移動式クレーンでは、伸縮ブームの先端部にジブサポートを取付け、複数の分割ジブを連結してなるラフィングジブ基端部を該ジブサポートに枢着し、該ラフィングジブ先端部付近と該ラフィングジブ基端部付近又はジブサポートに立設させたマストの先端部とを、複数の分割ロッドを連結してなるテンションロッドにより前記ラフィングジブを支持するようにし、かつ、前記ラフィングジブ長手方向中間部上面と、前記テンションロッドの長手方向中間部の分割ロッド連結部とを、支えワイヤで連結してなるラフィングジブ付き移動式クレーンにおいて、前記支えワイヤは、前記テンションロッドの分割ロッド連結ピン穴に同軸上に回転自在に構成されたレバーに連結されものであり、当該レバーはその内径が分割ロッド連結ピンの外径となっている中空ピンによって分割ロッド連結部に回転自在に転結され、前記レバーの端部には前記支えワイヤとの連結ピン穴が設けられている構成としている。
【００１２】
また、請求項２の発明のラフィングジブ付き移動式クレーンでは、伸縮ブームの先端部にジブサポートを取付け、複数の分割ジブを連結してなるラフィングジブ基端部を該ジブサポートに枢着し、該ラフィングジブ先端部付近と該ラフィングジブ基端部付近又はジブサポートに立設させたマストの先端部とを、複数の分割ロッドを連結してなるテンションロッドにより前記ラフィングジブを支持するようにし、かつ、前記ラフィングジブ長手方向中間部上面と、前記テンションロッドの長手方向中間部の分割ロッド連結部とを、支えワイヤで連結してなるラフィングジブ付き移動式クレーンにおいて、前記支えワイヤは、前記テンションロッドの分割ロッド間に介装されたサポートに連結されものであり、当該サポートの一端は分割ロッドの先端部に連結ピンによって回転自在に連結され、前記サポートの他端には連結される分割ロッドとの連結用の連結ピン穴が設けられ、さらに前記サポートの下部には前記支えワイヤとの連結ピン穴を有する連結用突起が設けられている構成としている。以上のような構成を採用することにより、上記課題を解決することができるのである。
【００１３】
【発明の実施の形態】
本発明の実施の形態を説明するにあたって、従来の技術で図５に図示し説明したラフィングジブ付き移動式クレーンを例に以下に説明する。従って本発明と従来のものと共通する部分については、同符号を用い詳細な説明を略して、以下の本発明の実施の形態を説明する。
【００１４】
図１に、本発明の実施の形態に係るラフィングジブ付き移動式クレーンの支えワイヤの連結部詳細図を示す。３０は支えワイヤであって、両端に同一の端末３１を有しており、その端末のサイズはワイヤのサイズに適したものとなっている。分割ジブ５ｃ、５ｄの連結及び分割ジブ５ｃと支えワイヤ３０との連結は従来の技術で説明したのと同様である。
【００１５】
４１は分割ロッド７ｃの連結部４０の連結ピン穴に同軸上に回転自在に構成されたレバーである。レバー４１の端部にはピン穴が設けられており、前記支えワイヤ３０の端末３１がピン２６によって、連結されている。分割ロッド７ｃと７ｄはピン２５により連結されている。
【００１６】
このように、支えワイヤ３０の分割ロッドへの連結が分割ロッド同志の連結と無関係に行われているので、その組立作業性の向上が図られている。また、支えワイヤ両端の端末がワイヤサイズに適したものとできるので、従来の特殊なサイズの端末を使ったものに比べコストを低くすることができるのである。
【００１７】
図２は上記分割ロッド７ｃおよび分割ジブ５ｃの搬送時の状態の要部を示すものである。他の分割ジブとのピン連結を解除された分割ジブ５ｃの上部には図示しないサポートが設けられており、他の分割ロッドとのピン連結を解除された分割ロッド７ｃが当該サポートの上に乗せられている。支えワイヤ３０は分割ジブ５ｃおよび分割ロッド７ｃに連結されたままである。レバー４１は分割ロッド連結ピン穴４２を中心に回転して連結部４０内部にほとんど隠れている。このような搬送姿勢となるので、いちいち支えワイヤ３０を取外すわずらわしさがなくなるのである。
また、ワイヤの端末金具が分割ジブに引っ掛かること無く長手方向に移動できるとともに、分割ロッドをできるだけ分割ジブ上面に近づけて置くことができるのである。
【００１８】
図３は分割ロッド７ｃの端部詳細図である。正面図（イ）のＢ断面図（ロ）に示されるように、レバー４１はその内径が連結ピン２５の外径となっている中空ピン４４、４４によって、連結部４０に回転自在に連結されている。レバー４１の端部には支えワイヤとの連結ピン穴４３が設けられている。このような構成により、上記作用を得ることができるのである。
上記実施の形態は、本願請求項１の発明に対応するものである。
【００１９】
図４は他の実施の形態の分割ロッド７ｅおよび分割ジブ５ｃの搬送時の状態の要部を示すものである。分割ロッド７ｅの先端部にはサポート５０が連結ピン２５によって回転自在に連結されている。サポート５０には分割ロッド７ｄとの連結用の連結ピン穴５２が設けられている。さらにサポート５０の下部には支えワイヤ３０の端末３１との連結用に連結用突起５１が設けられ、連結用突起の穴および端末３１に連結ピン２６を通すことにより、支えワイヤ３０を連結している。このような構成によっても、組立作業性を向上させることができるとともに、搬送時において、いちいち支えワイヤ４０を取外すわずらわしさがなくなるのである。
上記実施の形態は、本願請求項２の発明に対応するものである。
【００２０】
【発明の効果】
以上の如く構成し作用するものであるから、本願発明のラフィングジブ付き移動式クレーンにおいては、ラフィングジブ組立時において、支えワイヤの端末と２本の分割ジブの連結部を別々にピン連結できるので、その作業性が良いものとなるのである。
また、支えワイヤ両端の端末がワイヤサイズに適したものとできるので、従来の特殊なサイズの端末を使ったものに比べコストを低くすることができるのである。
さらには、搬送時において、いちいち支えワイヤを取外すわずらわしさがなくなるのである。
【図面の簡単な説明】
【図１】本願の請求項１の発明に係る支えワイヤの連結部詳細図である。
【図２】本願の請求項１の発明に係る分割ロッドおよび分割ジブの搬送時の状態の要部を示す図である。
【図３】本願の請求項１の発明に係る分割ロッドの端部詳細図である。
【図４】本願の請求項２の発明に係る分割ロッドおよび分割ジブの搬送時の状態の要部を示す図である。
【図５】移動式クレーンが支えワイヤを有するラフィングジブを装着した作業状態を示した図である。
【図６】従来の支えワイヤ周辺部の詳細図である。
【符号の説明】
３  伸縮ブーム
４  ジブサポート
５  ラフィングジブ
５ｃ、５ｄ  分割ジブ
６  バックテンション装置
７  テンションロッド
７ｃ、７ｄ、７ｅ  分割ロッド
８  第１マスト
９  第２マスト
２０、３０  支えワイヤ
２１、２２、３１  端末
２５、２６、２７  連結ピン
４０  連結部
４１  レバー
４２、４３、５２  連結ピン穴
４４  中空ピン
５０  サポート
５１  連結用突起
【図１】
0004177913.tif 000002
【図２】
0004177913.tif 000003
【図３】
0004177913.tif 000004
【図４】
0004177913.tif 000005
【図５】
0004177913.tif 000006
【図６】
0004177913.tif 000007